(57)【特許請求の範囲】
【請求項１】
写真フイルムパトローネを収納する写真フイルムパトローネ用ホルダにおいて、
前記写真フイルムパトローネよりも幅が広い略矩形状のシート材を、その長手方向に直交する幅方向に沿って二つ折りに折り曲げて筒状に形成し、前記写真フイルムパトローネを挟持して収納する収納部と、
前記収納部の外形から突出するように前記シート材の端部どうしを貼着した平板部と、  前記二つ折に折り曲げられたシート材のどちらか一方の側辺付近を、前記収納部に収納された写真フイルムパトローネの端面に接するように折り曲げて、前記写真フイルムパトローネを係止する係止部とを備えたことを特徴とする写真フイルムパトローネ用ホルダ。
【請求項２】
前記収納部に、写真フイルムパトローネのラベルを露出させる開口を設けたことを特徴とする請求項１記載の写真フイルムパトローネ用ホルダ。
【請求項３】
前記平板部に情報を記入するメモ欄を設けたことを特徴とする請求項１または２記載の写真フイルムパトローネ用ホルダ。
【請求項４】
前記平板部に吊り下げ用の開口を設けたことを特徴とする請求項１ないし３いずれか記載の写真フイルムパトローネ用ホルダ。
【発明の詳細な説明】
【０００１】
【産業上の利用分野】
本発明は、写真フイルムパトローネを簡易に収納、保持する、写真フイルムパトローネ用ホルダに関するものである。
【０００２】
【従来の技術】
最も普及している１３５フイルムは、パトローネと共に用いられるのが通常で、販売時にはリーダー部を残してフイルムを巻き込んだパトローネがＰケースと称されるプラスチック製容器に収納され、更に、これを紙箱で包装した形態となっている。撮影後にはフイルム現像、プリント処理が行われるが、ネガフイルムの場合、現像済みのフイルムは６コマ毎に切断され、ネガシースに入れてユーザーに返却される。
【０００３】
また、特開平６−３０１１５７号公報で知られるように、リーダー部をパトローネから突出させることなく、フイルムを全てパトローネ内に巻き込んだフイルムパトローネが提案されている。これに用いられている改良型のパトローネは、スプールを回転させたときにフイルムを送り出す機能を有しており、特開平５−２９７５５９号公報に記載されているように、現像済みのフイルムを長尺のまま再びそのパトローネに収納してユーザーに返却することが検討されている。
【０００４】
【発明が解決しようとする課題】
上述したように、従来の１３５フイルムの販売時の形態は、フイルムパトローネを収納したＰケースをさらに直方体形状に組み立てた紙箱で包装しているため、包装コストが高いという欠点がある。紙箱に代えて、例えば意匠第６９０４６３号公報で知られるように筒状をした２つの紙ケースを組み合わせてフイルムパトローネを包装することも工夫されているが、材料費や包装工数の点で未だ充分なローコスト化を達成できるとは言い難い。また、パトローネに現像済みのフイルムを収納してユーザーに返却する場合にも、適切な包装を行うことが好ましいが、この際の包装についてもやはり包装コストが掛からず、しかもユーザーが整理保管しやすい包装形態が望まれる。
【０００５】
本発明は、このような問題点を解決するためになされたもので、販売時、あるいは返却時のフイルムパトローネを簡便に包装でき、包装コストも大幅に節約できる写真フイルムパトローネホルダを提供することを目的とする。
【０００６】
【課題を解決するための手段】
上記目的を達成するために、本発明の写真フイルムパトローネ用ホルダでは、前記写真フイルムパトローネよりも幅が広い略矩形状のシート材を、その長手方向に直交する幅方向に沿って二つ折りに折り曲げて筒状に形成し、前記写真フイルムパトローネを挟持して収納する収納部と、前記収納部の外形から突出するように前記シート材の端部どうしを貼着した平板部と、前記二つ折に折り曲げられたシート材のどちらか一方の側辺付近を、前記収納部に収納された写真フイルムパトローネの端面に接するように折り曲げて、前記写真フイルムパトローネを係止する係止部とを備えたものである。
【０００７】
請求項２においては、前記収納部に、写真フイルムパトローネのラベルを露出させる開口を設けたものである。請求項３においては、前記平板部に情報を記入するメモ欄を設けたものである。請求項４においては、前記平板部に吊り下げ用の開口を設けたものである。
【０００８】
【実施例】
以下本発明の実施例を図面を参照して説明する。図１は、本発明の写真フイルムパトローネ用ホルダと、これに収納される写真フイルムパトローネを示す説明図である。また、図２は、この写真フイルムパトローネ用ホルダの構造を示す説明図である。写真フイルムパトローネ用ホルダ２は、短冊状のシート材を折り返し部３で折り返して、表紙３ａと裏紙３ｂを重ね、貼着部４で重なり合った部分を張りつけたものである。
【０００９】
そして、貼着部４の下部の両側面には、切り欠き５ａ、５ｂ、及び折り線６ａ、６ｂが設けられている。さらに、貼着部４の下部の中央部付近には、開口７が設けられている。このような構造により、写真フイルムパトローネ用ホルダ２の折り返し部３と貼着部４との間の、重なっている表紙３ａと裏紙３ｂとを互いに離すように開くと、図１のように写真フイルムパトローネ１１の収納空間である収納部８が形成される。
【００１０】
この収納部８に写真フイルムパトローネ１１を挿入し、折り線６ａ、６ｂから表紙３ａの一部を各々折り曲げると、写真フイルムパトローネ１１の両側面に当接して、収納部８から写真フイルムパトローネ１１が脱落することを防止する係止部８ａ、８ｂが形成される。また、貼着部４の表面には、収納される写真フイルムパトローネ１１等の情報を記入するメモ欄９が設けられる。
【００１１】
この様な構成の写真フイルムパトローネ用ホルダ２に収納される写真フイルムパトローネ１１は、パトローネ本体１２に軸着されたスプール１３を回動させると、パトローネ本体１２から写真フイルム（図示せず）が繰り出されるものである。そして、このような写真フイルムは、プリント処理後はパトローネ本体１２に全量巻き込まれた状態でユーザーに返却される。
【００１２】
このような構成の写真フイルムパトローネ用ホルダの作用について説明する。本発明の写真フイルムパトローネ用ホルダ２を製造する際には、予めメモ欄９が印刷されたシート材を所定のサイズで短冊状に切断し、開口７、及び切り欠き５ａ、５ｂを打抜きにより開ける。次に折り線６ａ、６ｂ、及び折り返し部３に凹状の折り線を設ける。そして、シート材を折り返し部３から折り曲げて２つに重ねて、表紙３ａと裏紙３ｂとを貼着部４で貼着することにより製造される。
【００１３】
このように、本発明の写真フイルムパトローネ用ホルダ２は、紙等の安価なシート材を所定サイズに切断して、打抜き機で開口等を開けた後に２つに折り重ね、端部を貼着するだけで完成するので、極めて安価に、且つ短時間で大量に製造が可能である。また、この写真フイルムパトローネ用ホルダ２は、使用するまでは平たく積み重ねておくことが出来るので、極めて省スペースで運搬、ストックが可能である。
【００１４】
次に、本発明の写真フイルムパトローネ用ホルダ２を使用する際には、切り欠き５ａ、５ｂを摘むようにして、表紙３ａを手前に引き起こして表紙３ａと裏紙３ｂとの間に収納部８を形成する。そして、この収納部８に写真フイルムパトローネ１１を挿入し、折り線６ａ、６ｂに沿って表紙３ａを裏紙３ｂ方向に各々折り曲げると、係止部８ａ、８ｂが形成される。これにより、収納部８の両端の一部が閉じられ、写真フイルムパトローネ１１は収納部８に確実に保持される。
【００１５】
また、開口７から写真フイルムパトローネ１１のラベル等が視認できるので、写真フイルムパトローネ１１を写真フイルムパトローネ用ホルダ２からいちいち取り出さずとも、写真フイルムパトローネ１１の種類等を確認できる。さらに、メモ欄９に撮影内容を記録しておくことにより、効率的に複数の写真フイルムパトローネを写真フイルムパトローネ用ホルダ２に収納したまま管理できる。なお、この写真フイルムパトローネ用ホルダ２は、写真フイルムパトローネを収納した状態でも一部が平板状になっているので、机上等に載置したときでも転動して落下することがなく、軽量で使い勝手にも優れている。
【００１６】
このような写真フイルムパトローネ用ホルダ２は、例えば図３のように、プリント処理後にプリント写真とともに写真フイルムパトローネ１１をユーザーに返却する際にも、プリント写真を収納する収納袋１５の一部にクリップ１６等で止めるだけで、収納袋１５と写真フイルムパトローネ１１を対応させて一緒にすることができるので、現像取扱店等での効率的なプリント写真と写真フイルムパトローネの管理にも大変便利である。
【００１７】
なお、本発明の写真フイルムパトローネ用ホルダは、図４に示す第２実施例のように、写真フイルムパトローネ用ホルダ２２の上部に吊り下げ用の開口２３を設け、収納部２４に防湿用のケースやビニルパックした未露光の写真フイルムパトローネを収納することにより、写真フイルムパトローネの販売用にも利用することが出来る。
【００１８】
【発明の効果】
以上のように、本発明の写真フイルムパトローネ用ホルダによれば、写真フイルムパトローネよりも幅が広い略矩形状のシート材を、その長手方向に直交する幅方向に沿って二つ折りに折り曲げて筒状に形成し、写真フイルムパトローネを挟持して収納する収納部と、収納部の外形から突出するようにシート材の端部どうしを貼着した平板部と、二つ折に折り曲げられたシート材のどちらか一方の側辺付近を、収納部に収納された写真フイルムパトローネの端面に接するように折り曲げて、写真フイルムパトローネを係止する係止部とを備えたので、販売時、あるいは返却時のフイルムパトローネを簡便に包装でき、包装コストも大幅に節約できる写真フイルムパトローネホルダを提供することができるようになる。
【図面の簡単な説明】
【図１】本発明の写真フイルムパトローネ用ホルダと、これに収納される写真フイルムパトローネを示す説明図である。
【図２】本発明の写真フイルムパトローネ用ホルダの構造を示す説明図である。
【図３】本発明の写真フイルムパトローネ用ホルダの利用例を示す説明図である。
【図４】本発明の写真フイルムパトローネ用ホルダの別な実施例を示す斜視図である。
【符号の説明】
２  写真フイルムパトローネ用ホルダ
３  折り返し部
５ａ，５ｂ  切り欠き
６ａ、６ｂ  折り線
７  開口
１１  写真フイルムパトローネ
【図１】
0003589731.tif 000002
【図２】
0003589731.tif 000003
【図３】
0003589731.tif 000004
【図４】
0003589731.tif 000005